(57)【特許請求の範囲】
【請求項１】
前枠と、前記前枠の前面側に開閉可能に取り付けられたガラス扉と、遊技釘および入賞具を有して所定の遊技領域が形成され前記遊技領域が前記ガラス扉に臨むように配設される遊技盤とを備え、前記遊技球を前記遊技領域に打ち出して遊技を行う遊技機において、
前記遊技盤は前記前枠または前記前枠の裏側に配設される裏機構部材に設けられた収容枠内に前方もしくは後方から着脱可能に取り付けられる構成であって、
前記収容枠が前記遊技盤を収容可能な収容空間を有した枠状に形成され、
前記収容枠の左右方向一方側の側縁下部に固定された下部固定ヒンジ部材と、
一端側において前記下部固定ヒンジ部材と相対揺動可能にヒンジ係合されて上下に延びる軸を中心として左右に揺動可能であり、前記収容空間の下縁に向く揺動位置に位置した状態において前記一端側から前記収容空間の下縁に沿って前記左右方向の他方側に延びるように形成され、前記遊技盤の下面を載置して支持可能な遊技盤支持部が形成された下部揺動ヒンジ部材と、
前記収容枠の左右方向の他方側における前記収容空間より下部に取り付けられて垂直に延びる軸を中心として左右に揺動可能に水平方向に延び、先端部が前記揺動ヒンジ部材の他端側を下方から支持する仮受け部材とを備え、
前記下部揺動ヒンジ部材の前記遊技盤支持部上に前記遊技盤を載置した状態で前記遊技盤を前記一端側に向けてスライド移動させることにより、前記遊技盤の側縁下部に設けられた下部遊技盤側係合部が前記下部揺動ヒンジ部材の前記一端側に設けられた下部ヒンジ側係合部と係合して前記遊技盤を前記下部揺動ヒンジ部材上に保持可能に構成されており、
前記下部揺動ヒンジ部材が前記下部固定ヒンジ部材とのヒンジ係合部を中心として前後揺動して、前記収容空間の下端に沿って収容空間内に位置する閉鎖位置と前記閉鎖位置より前方に揺動した開放位置とに揺動移動可能であり、
前記開放位置に位置した前記下部揺動ヒンジ部材の上に前記遊技盤を載置するとともにスライド移動させて前記下部遊技盤側係合部を前記下部ヒンジ側係合部と係合させて前記遊技盤を前記下部揺動ヒンジ部材上に保持させた後、前記下部揺動ヒンジ部材を前記閉鎖位置に揺動させて前記遊技盤を前記収容空間内に収容させるように構成されたことを特徴とする遊技盤の着脱補助機構。
【請求項２】
前記下部揺動ヒンジ部材の先端側に左右に延びて支持孔が形成され、前記仮受け部材の先端に設けられた係合部材が前記支持孔内に移動可能に挿入されて前記仮受け部材と前記下部揺動ヒンジ部材が係合されており、
前記下部揺動ヒンジ部材の前記閉鎖位置と前記開放位置との揺動移動に応じて前記係合部材が前記支持孔内で移動し、前記下部揺動ヒンジ部材が前記閉鎖位置に位置するときには前記仮受け部材が前記収容枠の下方に格納される位置に揺動移動し、前記下部揺動ヒンジ部材が前記開放位置に位置するときには前記仮受け部材の先端が前方に突出することを特徴とする請求項１に記載の遊技盤の着脱補助機構。
【請求項３】
前記収容枠の左右方向一方側の側縁上部に前記下部固定ヒンジ部材と上下に並んで上部固定ヒンジ部材が固定されており、
前記上部固定ヒンジ部材と相対揺動可能にヒンジ係合されて前記下部揺動ヒンジ部材の揺動中心軸と同軸上で左右に揺動可能な上部揺動ヒンジ部材を備え、
前記下部揺動ヒンジ部材の前記遊技盤支持部上に前記遊技盤を載置した状態で前記遊技盤を前記一端側に向けてスライド移動させたときに、前記遊技盤の側縁上部に設けられた上部遊技盤側係合部が前記上部揺動ヒンジ部材の前記一端側に設けられた上部ヒンジ側係合部と係合するように構成されたことを特徴とする請求項１もしくは２に記載の遊技盤の着脱補助機構。
【発明の詳細な説明】
【０００１】
【発明の属する技術分野】
本発明は、遊技釘および入賞具を有して所定の遊技領域が形成され、この遊技領域が遊技機前面のガラス扉に臨むように配設される遊技盤を備え、遊技球を遊技領域に打ち出して遊技を行う遊技機に関し、さらに詳細にはこのような遊技機において遊技盤の着脱作業を容易化する遊技盤の着脱補助機構に関する。
【０００２】
【従来の技術】
上記のような遊技機としてパチンコ機、アレンジボール機、いわゆる雀球遊技機などがある。この種の遊技機の代表例として例示されるパチンコ機では、案内レールで囲まれた遊技領域内に多数本の遊技釘や風車、種々の入賞具等が所定のゲージ設定で配設された遊技盤を有し、この遊技盤の遊技領域に打球発射装置から遊技球を打ち出して入賞具に落入させ入賞条件に応じた賞球の払出を受けることで、その賞球の増減を通して遊技を展開するように構成されている。
【０００３】
遊技盤は、上下の球皿や打球発射装置の操作ハンドルなどが設けられた前枠の前面側もしくは後面側、または、遊技球を貯留するタンク部材や球払出装置などの賞球機構が設けられて前枠の裏側に配設される裏機構部材の前面側に取り付けられ、前枠の前面側に横開き開閉可能に取り付けられたガラス扉を通して遊技領域を遊技者に臨ませるように構成される。
【０００４】
ここで、遊技盤の取付構造は、機種変更時における組み立て工程の対応の迅速化や遊技施設における遊技盤の交換作業容易化等のため着脱交換可能に構成することが望ましい。そして、遊技盤の着脱交換に当たっては遊技盤側の構成部材と前枠側の構成部材との位置関係を一定の位置精度内に維持させる構成が好ましい。このため、例えば、遊技盤を前枠の裏面側から着脱させる形態（本明細書において便宜的に「前枠後方着脱形態」という）の遊技機にあっては、前枠の裏面側に遊技盤の基板となる化粧板の外形寸法よりもわずかに（例えば巾方向に１mm程度）大きめな枠寸法を有する額縁状の収容枠を形成するとともに、収容枠には前方の支持面から裏面方向に向けて突出する位置決めピンを設け、化粧板には位置決めピンと嵌脱自在に係合する位置決め孔を形成して、これらを嵌合させることで遊技盤の着脱交換に拘わらず相互の位置関係が一定となるように構成している。収容枠にはこのようにして枠内に収容された遊技盤を固定保持する閉鎖クランプが設けられており、作業者がこの閉鎖クランプを操作することで遊技盤が収容枠に固定保持される。
【０００５】
【発明が解決しようとする課題】
上記のような従来の遊技盤取付構造では、作業者が遊技盤を着脱する際に、収容枠と化粧板とのわずかな隙間を利用して遊技盤をはめ込みあるいは引き出し操作せざるを得ない。ところが、遊技盤は大きさが概ね縦４７０mm×横４２０mm程度、質量が３〜５kg程度あり、その前面側には多数本の遊技釘が突出している。このため、遊技盤を装着するときには遊技盤に前方視界が遮られて収容枠の位置を正確に認識しにくく、わずかな隙間を利用して大型かつ重量のある遊技盤を装着する作業は熟練した作業者にとっても煩雑かつ重労働であるという問題があった。
【０００６】
また、遊技盤を取り外すときには、閉鎖クランプによる係止を解除して収容枠から遊技盤を手前に引き抜く作業を行うが、遊技盤の位置決め孔が収容枠側の位置決めピンに嵌合した状態にあり、大型かつ重量のある遊技盤を片手で支持しながら嵌合状態を解除させなければならないという問題があった。さらに遊技機によっては遊技盤前面のセルが収容枠の前方支持面に張り付いた状態となっている場合もあり、このような嵌合状態や張り付き状態を解除させて遊技盤を取り外す作業中に、遊技盤が収容枠から急に滑り出て遊技盤を落下させるおそれがあるという問題もあった。特に遊技機を遊技施設に設置した後の盤面交換作業は遊技盤の着脱を習熟していない作業者が行うことが多く、熟練作業者でなくても容易に遊技盤の着脱交換を行うことができる遊技機が求められていた。
【０００７】
一方、上記のような問題に対処するため、前枠側に固定ヒンジ部材を固定し、遊技盤側に固定ヒンジ部材と係脱可能に係合して係合状態で相対揺動可能な揺動ヒンジ部材を固定して、これらのヒンジ部材を連結させて遊技盤を横開き開閉可能に取り付ける開閉手段を考案することができる。しかしながら、このような開閉手段では、個々の遊技盤ごとに揺動ヒンジ部材を固定配設する必要があるため遊技盤の製作コストが増大するうえ、このような揺動ヒンジ部材は一般に遊技盤から側方に突出して配設されるため、遊技盤単体の取扱時に誤って揺動ヒンジ部材をぶつけて変形させてしまうおそれがあり遊技盤の取扱が煩雑になるという課題がある。さらに、比較的質量が大きい遊技盤を開閉可能に支持させるためには、固定ヒンジ部材、揺動ヒンジ部材、および固定ヒンジ部材が固定されるヒンジ取付部などをこれに応じた強度の構成としておく必要があり、開閉機構が大型化するという課題もある。
【０００８】
本発明は、上記のような問題や課題に鑑みて成されたものであり、遊技盤の取扱を煩雑化させることなくその着脱作業を容易化して作業性を向上させた遊技機を提供することを目的とする。
【０００９】
【課題を解決するための手段】
上記目的を達成するため、本発明は、前枠と、前枠の前面側に開閉可能に取り付けられたガラス扉と、遊技釘および入賞具を有して形成された遊技領域がガラス扉に臨むように配設される遊技盤とを備え、遊技球を遊技領域に打ち出して遊技を行う遊技機において、遊技盤は前枠または前枠の裏側に配設される裏機構部材（例えば実施形態における裏セット盤３０）に設けられた収容枠内に前方もしくは後方から着脱可能に取り付けられる構成であって、収容枠が遊技盤を収容可能な収容空間を有した枠状に形成され、収容枠の左右方向一方側の側縁下部に固定された下部固定ヒンジ部材と、一端側において下部固定ヒンジ部材と相対揺動可能にヒンジ係合されて上下に延びる軸を中心として左右に揺動可能であり、収容空間の下縁に向く揺動位置に位置した状態において一端側から収容空間の下縁に沿って前記左右方向の他方側に延びるように形成され、遊技盤の下面を載置して支持可能な遊技盤支持部が形成された下部揺動ヒンジ部材と、収容枠の左右方向の他方側における収容空間より下部に取り付けられて垂直に延びる軸を中心として左右に揺動可能に水平方向に延び、先端部が揺動ヒンジ部材の他端側を下方から支持する仮受け部材とを備える。そして、下部揺動ヒンジ部材の遊技盤支持部上に遊技盤を載置した状態で遊技盤を一端側に向けてスライド移動させることにより、遊技盤の側縁下部に設けられた下部遊技盤側係合部が下部揺動ヒンジ部材の一端側に設けられた下部ヒンジ側係合部と係合して遊技盤を下部揺動ヒンジ部材上に保持可能に構成されており、下部揺動ヒンジ部材が下部固定ヒンジ部材とのヒンジ係合部を中心として前後揺動して、収容空間の下端に沿って収容空間内に位置する閉鎖位置とこの閉鎖位置より前方に揺動した開放位置とに揺動移動可能であり、開放位置に位置した下部揺動ヒンジ部材の上に遊技盤を載置するとともにスライド移動させて下部遊技盤側係合部を下部ヒンジ側係合部と係合させて遊技盤を下部揺動ヒンジ部材上に保持させた後、下部揺動ヒンジ部材を閉鎖位置に揺動させて遊技盤を収容空間内に収容させるように構成される。
【００１０】
このような構成の遊技盤の着脱補助機構では、揺動ヒンジ部材に形成されたヒンジ係合部が固定ヒンジ部材に連結され、遊技盤が遊技盤支持部を介して仮受け部材に支持されて前枠または裏機構部材の所定位置に開閉可能に取り付けられる。このため、遊技盤の脱着作業を行う作業者はこの揺動ヒンジ部材と固定ヒンジ部材とで構成される開閉機構を利用して遊技盤の開閉を行うことができ、作業を行いやすい角度位置まで遊技盤を開放させた状態で作業に適宜な位置を把持して遊技盤の着脱を行うことができる。また本機構により脱着作業中に遊技盤が急に滑り出て落下するようなことがなく、熟練作業者でなくとも容易に盤面交換を行うことができる。
【００１１】
また、本構成の着脱補助機構では、揺動ヒンジ部材の他端側に遊技盤支持部が形成されて遊技盤が着脱可能に支持される。このため、揺動ヒンジ部材を固定ヒンジ部材に係合連結させておくことで、個々の遊技盤に揺動ヒンジ部材を設ける必要がなく、遊技盤の製作コストや盤面交換時の必要コストを低減可能であるとともに、遊技盤単体の取扱時に誤って揺動ヒンジ部材をぶつけて変形させてしまうようなことがない。
【００１２】
さらに、本構成の着脱補助機構では、揺動ヒンジ部材の下面が仮受け部材に支持され、遊技盤が遊技盤支持部を介して仮受け部材に支持される構成のため、比較的質量が大きい遊技盤を支持することが想定される場合であっても、固定ヒンジ部材や固定ヒンジ部材の取付部等の開閉機構を小型に構成することができ、かつ安定して開閉着脱可能な着脱補助機構を得ることができる。
【００１３】
従って、このような遊技盤の着脱補助機構を備えた遊技機によれば、熟練作業者でなくとも容易に遊技盤の着脱作業を行うことができ、作業性を向上させた遊技機を提供することができる。
【００１４】
【発明の実施の形態】
以下、本発明の好ましい実施形態について図面を参照しながら説明する。本発明に係る遊技盤の着脱補助機構を備えた遊技機の代表例として、遊技盤を前枠の裏面側から着脱する前枠後方着脱形態のパチンコ機ＰＭを図１〜図３に例示しており、まず、これらの図面を参照しながらパチンコ機ＰＭの全体構成について要約説明する。ここで、図１はパチンコ機ＰＭを正面側から見た正面図、図２はパチンコ機ＰＭを裏面側から見た背面図、図３は裏セット盤を取り外した状態の前枠の背面図である。なお、図２および図３では遊技盤の裏面中央部の記載を省略している。
【００１５】
パチンコ機ＰＭは、外郭方形枠サイズに構成されて縦向きの固定保持枠をなす外枠１の開口前面に、これに合わせた方形枠サイズに構成されて開閉搭載枠をなす前枠２が互いの左側縁に配設された上下のヒンジ機構３ａ，３ｂにより横開き開閉および着脱が可能に取り付けられ、常には右側縁に設けられた施錠装置４を利用して外枠１に閉鎖施錠された状態で保持される。
【００１６】
前枠２の正面側には、前枠２の前面域に合わせた方形状をなし中央部に取り付けられたポリカーボネート板やガラス板等の透明板材を通して遊技盤２０を透視可能なガラス扉５、および球皿に貯留された遊技球を整列させて１個ずつ打球発射装置９に導く上球皿６が、ともに左側縁に内蔵されたヒンジ機構により横開き開閉および着脱が可能に組付けられ、常には施錠装置４および図示省略するロック機構を利用して前枠２の前面を覆う閉止状態で保持される。前枠２の下部には遊技球を貯留する下球皿７設けられ、この下球皿７と並んで遊技球の発射操作を行う操作ハンドル８が取り付けられている。
【００１７】
前枠２の上部には、遊技盤２０を収容保持する収容枠１１が形成されている。収容枠１１は、前枠２から裏面方向に立設された壁面構成の左右ならびに下方の枠部と、これらの枠部の前方に額縁状に形成された前方支持部（図３では点線で示す）とを有して前枠２と一体に成形される。収容枠１１における左右枠部の内面寸法は遊技盤２０の幅寸法よりも１〜２mm程度大きく形成され、前方支持部の上下所定位置に支持面から裏面方向に突出し先端部がテーパ状に形成された位置決めピン１１ｐ，１１ｐが突出成形されている。収容枠１１の右側部には、遊技盤２０および裏セット盤３０をそれぞれ横開き開閉並びに着脱可能に支持する固定ヒンジ部材１２，１３が上下に所定間隔をおいてねじ固定されるとともに、収容枠１１の周囲各部には収容枠に収容した遊技盤２０を固定する閉鎖クランプ１４（１４ａ，１４ｂ，１４ｃ）が回動操作可能に取り付けられている。
【００１８】
遊技盤２０は板厚１９mm程度の積層合板を図示する所定形状に切断およびルーター加工して、その表面に所定意匠のセルを貼り付けた化粧板（ベニヤとも称される）２１を基板として構成される。化粧板２１の前面側には、帯状の外レール２４ａおよび内レール２４ｂが円弧状に固設され、これらの案内レール２４ａ，２４ｂで囲まれた内側に遊技領域ＰＡが区画される。遊技領域ＰＡには、多数本の遊技釘とともにランプ風車２５ａや一般風車２５ｂ等の風車２５、一般入賞具２６ａや始動入賞具２６ｂ並びに大入賞口を備えたアタッカー２６ｃ等の入賞具２６、および遊技の進行状況に応じて所定の図柄を表示させる図柄表示装置２８などが取り付けられ、遊技領域ＰＡの下端には入賞具２６に入賞せずに落下した遊技球を遊技盤２０の裏面側に排出させるアウト口２７が設けられている。
【００１９】
化粧板２１の所定位置には、収容枠１１の前方支持部に突出成形された位置決めピン１１ｐ，１１ｐと嵌脱可能な位置決め孔２１ｐ，２１ｐが穿設されており、遊技盤２０を収容枠１１に収容させたときに位置決めピン１１ｐ，１１ｐと位置決め孔２１ｐ，２１ｐとが嵌合して遊技盤２０の位置決めがなされ、閉鎖クランプ１４を回動操作して遊技盤を固定することで、遊技盤２０が前枠２に対して一定の位置関係にセット保持される。
【００２０】
前枠２の裏面下部には、遊技球を外レール２４ａに向けて発射する打球発射装置９、および操作ハンドル８の回動操作を受けて打球発射装置９の作動を制御する発射装置制御基板Ｂ２が取り付けられる。前枠２におけるこれらの装置９および基板Ｂ２と収容枠１１との間の上下中間領域には、遊技補助盤１５と称される補助機構部が形成され、その前面側に打球発射装置９によって打ち出された遊技球を外レール２４ａに向けて案内する発射レールや、遊技領域ＰＡに到達できずに打球発射装置９側に戻ってきたファール球を下球皿７に排出させるファール球回収経路部材、遊技の展開状況に応じた効果音を発生させるスピーカなどが取り付けられている。遊技補助盤１５は上球皿６の背後に位置しており、常には閉鎖保持される上球皿６によりその前面側が覆われている。遊技補助盤１５の右上部は上方に延出され、後述する裏セット盤３０の賞球払い出し経路３９と上球皿６との間を繋いで球払出装置３８から払い出された遊技球を上球皿６に導く通出口２ａが形成されている。
【００２１】
前枠２の背後に位置して、裏セット盤（裏機構盤とも称される）３０が取り付けられる。裏セット盤３０は、外枠１の内寸サイズよりも幾分小さめの方形状をなし中央に表裏貫通する窓口３１ｗを有して一体成形された基枠体３１をベースとして構成される。基枠体３１の側縁部には上下に所定間隔をおいて裏セット盤揺動ヒンジ部材３２，３３が固定されており、この上下の裏セット盤揺動ヒンジ部材３２，３３を収容枠１１側の上下の固定ヒンジ部材１２，１３に係合させて揺動させあるいは係脱させることで、裏セット盤３０が前枠２の背後に横開き開閉および着脱可能に装備され、常には３カ所の閉鎖レバー３４を利用して前枠２の背面を覆うように閉鎖保持される。
【００２２】
裏セット盤３０には、窓口３１ｗを取り囲むようにして賞球を払い出すための賞球装置や遊技球の処理経路が設けられる。すなわち、基枠体３１の裏面側には、遊技球の貯留・供給を行うタンク部材３５、タンク部材３５から供給される遊技球を整列させて流下させる整列樋部材３６、整列樋部材から供給される遊技球を受けて所定数量の遊技球を待機保持させる賞球待機通路３７、賞球待機通路３７に待機された遊技球を所定の入賞条件等に基づいて払い出す球払出装置３８、球払出装置３８から払い出された遊技球を上下の球皿６，７に導く賞球払出経路３９などの賞球装置よび賞球経路が設けられている。また、基枠体３１の前面側には、窓口３１ｗの下方に位置して遊技盤２０の裏面側に排出されたアウト球およびセーフ球、球抜き機構によって賞球経路３７の途上から排出された抜き球等を集合させる集合経路が形成され、基枠体３１の裏面側には集合経路と繋がって集合された遊技球を遊技施設側の回収バケットに排出させる球排出経路が形成されている。
【００２３】
また、裏セット盤３０の裏面各部には、パチンコ機ＰＭの作動を統括的に制御するメイン基板Ｂ１や、メイン基板Ｂ１からの指令信号に基づいて球払出装置の作動制御を行う球払出基板Ｂ３、効果照明や効果音の作動制御を行うランプ・音声制御基板Ｂ４、これらの制御基板や各種電子機器等に電力を供給する電源基板Ｂ５などの回路基板が着脱交換可能に取り付けられ、各回路基板や電子機器が図示しないワイヤーハーネスで接続されてパチンコ機ＰＭが構成される。
【００２４】
パチンコ機ＰＭは、ガラス扉５、上球皿６、裏セット盤３０等がそれぞれ閉鎖され、前枠２が外枠１に閉鎖施錠された状態で遊技に供される。遊技は上球皿６に遊技球を貯留させて操作ハンドル８を回動操作することにより開始され、上球皿６に貯留された遊技球が１球ずつ打球発射装置９に送られ操作ハンドル８の回動操作角度に応じた強度で遊技領域ＰＡに打ち出されてパチンコゲームが展開される。
【００２５】
このように概要構成されるパチンコ機ＰＭにあって、機体の上部には図４および図５に示すように、外枠１に対して前枠２を開放状態に保持させる前枠開放保持機構１５０と、開放された前枠２に対して裏セット盤３０を開放保持させる裏セット盤開放保持機構１６０とが設けられている。
【００２６】
ここで、図４は、前枠開放保持機構１５０により外枠１に対して前枠２を開放状態に保持させ、裏セット盤開放保持機構１６０により前枠２に対して裏セット盤３０を開放保持させた状態の平面図を示し、図５は前枠開放保持機構１５０により開放保持された前枠２の上部背面図を示している。なお、以降では前枠２を背面側から見た構成を主として説明するため、説明の便宜上、図３における左右方向を左方または右方と称し、紙面直交方向の向こう側（パチンコ機ＰＭの前面側）を前方、手前側（同裏面側）を後方と称して説明する。
【００２７】
前枠開放保持機構１５０は、基端部が外枠１に水平面内に揺動可能に取り付けられた前枠開放保持部材１５１と、前枠２における収容枠１１の上方に取り付けられた係合部材１５５とからなり、前枠２を開放させて前枠開放保持部材１５１の先端部を係合部材１５５に係合させることで、外枠１に対して前枠２を開放状態に保持させる。
【００２８】
前枠開放保持部材１５１は、例えば、所定線径のみがき鋼棒の両端に旋削や転造等によりネジ部を形成し、基端側および先端側を図示するクランク状の形状に曲げ加工し、必要に応じて所要の表面処理を施すとともに、両側の所定位置にワッシャ１５２（１５２ａ，１５２ｂ）をカシメ締結し、あるいはスナップリング等を嵌着固定して構成する。前枠開放保持部材１５１は、基端側の揺動端部１５１ａを外枠１に穿設された取付孔に外枠下面側から挿入し、外枠１の上面に設けられたザグリ穴側の上方から座金を介してナット１５３ａを締め付けることで、この取付穴の軸まわりに水平旋回可能に取り付けられる。なお、必要に応じてナット１５３ａまたはネジ部に緩み止め処理を施し、あるいは穴深さに応じた長さのカラー等を嵌挿してナット１５３ａを締め付けることにより、ナット１５３ａの緩みを防止して前枠開放保持部材１５１を常時滑らかに揺動させることができる。また、前枠開放保持部材の先端側の係合端部１５１ｂにはナット１５３ｂが螺合されている。
【００２９】
係合部材１５５には前枠開放保持部材の係合端部１５１ｂを受容可能な凹状の係合部１５５ａ，１５５ｂが形成されており、例えば、ＡＢＳ樹脂等の樹脂材料を用いて射出成形等の成形手段で図示する形状に構成し、あるいは金属材料を用いて鋳物やダイキャスト、板金部材の溶接構造等により図示する形状に構成する。係合部材１５５は前枠開放保持部材の係合端部１５１ｂを係合させたときに、前枠２と外枠１とがなす開き角が所定の２段階の開放保持角となるように、係合部が２カ所に形成されており、収容枠１１上方の所定位置にねじ止めされる。
【００３０】
ここで、上記２段階の開放保持角は、例えば、係合端部１５１ｂを一方の係合部１５５ａに係止させたときに前枠２の開き角が９０度となり、他方の係合部１５５ｂに係止させたときの開き角が、遊技島ＳＢの配設ピッチや隣り合うパチンコ機との位置関係から開放可能な最大の開き角（例えば１００度）となるように設定される。これにより作業者は係合端部１５１ｂを上記いずれかの係合部１５５ａ，１５５ｂに係合させることで、所望の開放角度で前枠２を開放保持させることができる。なお、係合部１５５ａ，１５５ｂの配設高さは遊技盤２０の上面や裏セット盤３０の上面よりも上方に設定されており、前枠開放保持部材１５１を用いて前枠２を開放保持させた状態でも、遊技盤２０や裏セット盤３０を自由に開放・閉鎖しあるいは着脱交換できるように構成されている。
【００３１】
外枠１の上面部材の内側には、前枠開放保持部材１５１を格納したときに前枠開放保持部材１５１の先端部を掛支して収容保持する掛支部材１５８が設けられている（図では外枠１の上面に取り付けられた掛支部材１５８をその取付面側から見た状態を示している）。このため、作業を終了した作業者が、前枠開放保持部材１５１を揺動させて係合端部１５１ｂ側を掛支部材１５８に掛支させることで、前枠開放保持部材１５１を格納姿勢に収容保持させることができ、この格納姿勢を保持させて前枠２を閉鎖することができる。
【００３２】
一方、裏セット盤開放保持機構１６０は、正面視における外枠１の右側面部材の内側に揺動可能に枢結された裏セット盤開放保持部材１６１を主体として構成される。裏セット盤開放保持部材１６１は、図４中に部分拡大図を示すように、略円筒状に形成された基端部１６１ａとこの基端部から延びて先端がフック状に形成された係止部１６１ｂとからなり、例えばＡＢＳ樹脂等の樹脂材料を用いて射出成形等の成形手段により一体成形される。
【００３３】
裏セット盤開放保持部材１６１は、その基端部１６１ａが、正面視における外枠１の右側面部材の内側にリベット等の締結手段により垂直面内に回動可能に枢結され、この開放保持部材１６１を回動させることで先端の係止部１６１ｂを外枠１の前面側に突出させ、あるいは外枠１の内側に収容させることができる。先端の係止部１６１ｂはフック状に形成されており、この係止部１６１ｂを外枠１の前方に突出させたときに、裏セット盤３０のタンク部材３５の後方壁面をこの係止部１６１ｂと外枠１の前端面との間に挟持するようにして係止保持可能に構成されている。
【００３４】
このため、開放保持部材１６１を回動させて先端の係止部１６１ｂを外枠１の前面側に突出させ、開放させた裏セット盤３０のタンク部材３５に係止部１６１ｂを係合させることで裏セット盤３０を開放状態に保持させることができ、また開放保持部材１６１を回動させて先端の係止部１６１ｂを下方（または上方）に位置させることで、裏セット盤開放保持部材１６１を外枠１の内側に収容して裏セット盤３０および前枠２を閉鎖することができる。
【００３５】
従って、上記のように構成される前枠開放保持機構１５０および裏セット盤開放保持機構１６０によれば、前枠２を開放して前枠開放保持部材１５１を揺動展開し先端の係合端部１５１ｂを左右いずれかの係合部１５５ａ，１５５ｂに係合させることで、前枠２を所望の開放角度位置に保持させることができ、またこのように前枠２を開放させた状態で裏セット盤３０を後方に開き、開放保持部材の係止部１６１ｂをタンク部材３５に係合させることで、裏セット盤３０を開放状態に保持させることができる。これにより、前枠２の裏面側に広い作業スペースを確保することができ、遊技盤２０の着脱作業等を容易に行うことができるようになる。
【００３６】
なお、前枠開放保持機構１５０により前枠２が開放保持された状態において、係合端部１５１ｂに螺合されたナット１５３ｂを締め付けることにより、前枠２を開放状態に固定することも可能である。これにより、例えば遊技盤２０の着脱交換時に作業者が誤って遊技盤２０の上端部を前枠開放保持部材１５１に当接させ、係合端部１５１ｂと係合部（１５５ａまたは１５５ｂ）との係合を解除するような外力が作用しても、ナット１５３ｂの締結力により係合が解除されることがなく、前枠２の開放状態を強固に維持させることができる。
【００３７】
さて、このようにして開放状態が保持される前枠２の裏面側に、遊技盤２０を横開き開閉および着脱可能に支持する着脱補助機構が設けられている。着脱補助機構は、その配設位置及び機能から構成を大別すると、収容枠１１の右側縁に配設されて遊技盤２０を横開き開閉可能に枢支する開閉着脱機構４０と、収容枠１１の下方に位置する遊技補助盤１５に配設されて遊技盤の荷重を支持する仮支持機構５０（６０）とから構成される。以降、これらの各機構について、まず開閉着脱機構４０の構成から説明する。
【００３８】
開閉着脱機構４０は、図３、および図６〜図１１にその具体的構成例を示すように、遊技盤２０の右上方に配設される開閉着脱機構（以下、「上部開閉機構」という）４０Ａと、この上部開閉機構から所定間隔をおいて遊技盤２０の右下方に配設される下方の開閉着脱機構（以下、「下部開閉機構」という）４０Ｂとからなる。ここで、図６は上部開閉機構４０Ａを右斜め後方から見た分解斜視図、図７は下部開閉機構４０Ｂを右斜め後方から見た分解斜視図、図８は嵌合接続前の上部開閉機構４０Ａの背面図、図９は嵌合接続状態にある上部開閉機構の平断面図、図１０は嵌合接続状態にある下部開閉機構４０Ｂの背面図、図１１は下部開閉機構４０Ｂと仮支持機構５０との関係を示す平断面図（部分断面図）である。
【００３９】
上部開閉機構４０Ａおよび下部開閉機構４０Ｂは、それぞれ収容枠１１の上下にねじ固定されて裏セット盤３０を横開き開閉および着脱可能に支持する上下の固定ヒンジ部材１２，１３をベース部材として共用し、この固定ヒンジ部材１２，１３と遊技盤２０（化粧板２１）との間に、一端に固定ヒンジ部材と相対揺動可能に連結するヒンジ係合部が形成され、他端側に遊技盤と嵌脱可能に係合する遊技盤係合部が形成された揺動ヒンジ部材４２，４３を配設することで、遊技盤２０を横開き開閉可能かつ揺動ヒンジ部材から切り離して遊技盤単体で着脱することができるように構成されている。また、下部開閉機構４０Ｂにおける揺動ヒンジ部材４３は収容枠１１の形状に合わせて左方に延び、左端側で仮支持機構５０の仮受け部材５３と係合して遊技盤２０の荷重を支持可能に構成されている。
【００４０】
上部開閉機構４０Ａは、図３、図６、図８および図９の各図に示すように、収容枠１１の上部にねじ固定される固定ヒンジ部材１２と、一端が固定ヒンジ部材１２に相対揺動可能に連結され他端が化粧板２１と嵌脱可能に係合する揺動ヒンジ部材４２とを主体とし、固定ヒンジ部材１２と揺動ヒンジ部材４２とがボルト４４ａ、ナット４４ｂ、およびワッシャ４４ｃを用いて相対揺動可能に連結される。化粧板２１には揺動ヒンジ部材４２と嵌合する揺動ヒンジ係合部２２が形成されている。
【００４１】
固定ヒンジ部材１２は、収容枠１１にねじ固定されるベース部１２ａと、このベース部１２ａの下部が左右に切り離されて各下端部が異なる高さ位置で折り曲げられて後方に突出する第１支持部１２ｂおよび第２支持部１２ｃ、第１支持部１２ｂに円孔状に穿設された支軸孔１２ｄ、第２支持部１２ｃに上方に突出して固着された裏セットヒンジピン１２ｅなどの各部で構成される。
【００４２】
ここで、第２支持部１２ｃおよび裏セットヒンジピン１２ｅは、裏セット盤揺動ヒンジ部材３２を揺動可能に支持して裏セット盤３０を着脱および横開き開閉可能に支持する支持構造であり、遊技盤２０の開閉着脱機構と裏セット盤３０の開閉着脱機構とが共通の固定ヒンジ部材１２を用いて構成されている。固定ヒンジ部材１２は、所定板厚の冷間圧延鋼板やメッキ鋼板、ステンレス鋼板等の金属材料を用いてパンチングやベンディング、プレス成形等の公知の加工手段により成型され、裏セットヒンジピン１２ｅをカシメ圧着させたのち、必要に応じて所要の表面処理を行って形成される。
【００４３】
揺動ヒンジ部材４２は、平面視において略Ｌ字状に形成された板状のアーム部４２ｂと、このアーム部４２ｂ基端側のヒンジ係合部に穿設された円孔状のヒンジ係合孔４２ｄと、アーム部４２ｂの先端側に曲げ成形された遊技盤係合部（挟持係合部４２ｆ，弾性係合片４２ｇ）とからなり、上記固定ヒンジ部材１２と同様の金属材料を用いて同様の加工手段で形成される。
【００４４】
アーム部基端側のヒンジ係合部に形成されるヒンジ係合孔４２ｄ、および第１支持部１２ｂに形成される支軸孔１２ｄは、ともにボルト４４ａのネジ外径よりも幾分大きめな内径を有して形成されており、支軸孔１２ｄの上部にワッシャ４４ｃを挟んで揺動ヒンジ部材４２を載置し、その上方からヒンジ係合孔４２ｄ、ワッシャ４４ｃ、支軸孔１２ｄを通してボルト４４ａを挿通し、ボルト先端にナット４４ｂを螺合させることで、揺動ヒンジ部材４２が揺動可能に固定ヒンジ部材１２に連結され、かつ任意の揺動角度位置で係止保持可能に支持される。
【００４５】
ここで、ワッシャ４４ｃは、第１支持部１２ｂとアーム部４２ｂの基端部との間に挟持させることで、第１支持部１２ｂとアーム部４２ｂとの摺動面積を低減させ、揺動開閉時の摩擦抵抗を低減させるために挿入しており、ボルト・ナット４４ａ，４４ｂの締結を弱めた状態で揺動ヒンジ部材４２が滑らかに揺動されるようになっている。なお、ボルト４４ａを溶接やカシメ等の手段により揺動ヒンジ部材４２に下向きに固着し、あるいは固定ヒンジ部材１２に上向きに固着するように構成してもよい。
【００４６】
アーム部４２ｂの先端側に形成される遊技盤係合部は、前後方向に延びるアーム部４２ｂの前端部が上下に屈曲成形されて側面視下方に開く凹状の挟持係合部４２ｆと、挟持係合部４２ｆの左端縁部から上方に曲げ起こされて側端面を成すとともにその上部がさらに右斜め上方に折り返されて背面視Ｕ字形態の板バネ状に形成された弾性係合片４２ｇとからなる。挟持係合部４２ｆの前後方向寸法は、その外形寸法が化粧板２１の板厚と同一または幾分小さめに設定され、弾性係合片４２ｇは挟持係合部４２ｆの前後方向寸法内に収められている。
【００４７】
一方、化粧板２１の揺動ヒンジ係合部２２には、挟持係合部４２ｆと係合する被挟持部２２ｆ、および弾性係合片４２ｇを受容して係合する受容係合口２２ｇがルータ加工により形成されている。揺動ヒンジ係合部２２は、揺動ヒンジ部材４２が固定ヒンジ部材１２に取り付けられ、遊技盤２０が揺動ヒンジ部材４２に嵌合接続されて収容枠１１に収容保持されたときの挟持係合部４２ｆおよび弾性係合片４２ｇの位置およびこれらの形状寸法に合わせて形成される。
【００４８】
このうち、被挟持部２２ｆは、化粧板２１の表面および裏面を挟持係合部４２ｆの位置および形状寸法に合わせてザグリ加工することによって形成され、表裏のザグリ深さが揺動ヒンジ部材４２の板厚と同一または幾分大きく、残余の板厚が挟持係合部４２ｆの溝幅よりもわずかに大きくなるように設定されている。
【００４９】
また受容係合口２２ｇは、表裏貫通して化粧板２１の右側縁から左方に向けてＵ字状に切り込まれた溝形態をなし、その溝部の上下面の位置および高さ寸法が弾性係合片４２ｇの基端側の位置および高さ寸法に合わせて形成され、溝部の深さ寸法が弾性係合片４２ｇの側端面の位置に合わせて形成されている。なお、受容係合口２２ｇの溝底の上下のコーナ部は、上方コーナ部の溝内側半径が弾性係合片４２ｇの曲げ半径と同一もしくは幾分小さめに形成され（具体的には、弾性係合片４２ｇの曲げ半径がルータの工具半径と同一もしくは幾分大きめに形成され）、下方コーナ部における下面部には弾性係合片４２ｇの基端部（挟持係合部４２ｆからの曲げ起こし部）がＲ面と当接しないように逃げ面２２ｓが形成されている。
【００５０】
このため、揺動ヒンジ係合部２２が揺動ヒンジ部材４２に嵌合接続されると、挟持係合部４２ｆが被挟持部２２ｆを挟み込むように係合して化粧板２１を前後方向に挟持保持するとともに、弾性係合片４２ｇの側端面が受容係合口２２ｇの奥部端面（溝部底面）に当接して化粧板２１を左右方向に支持し、弾性係合片４２ｇの上下方向への弾性力により挟持係合部２４ｆの上辺と受容係合口２２ｇの溝下面とが係合して化粧板２１を上下方向に支持する。これにより、遊技盤２０が揺動ヒンジ部材４２および固定ヒンジ部材１２を介して、収容枠１１に横開き開閉および着脱可能に取り付けられる。
【００５１】
また前述したように、挟持係合部４２ｆの外形寸法は化粧板２１の板厚と同一またはこれより幾分小さめに設定され、弾性係合片４２ｇは挟持係合部４２ｆの前後方向寸法内に収められている。このため、上記嵌合姿勢において遊技盤係合部の各部が化粧板２１の表・裏面よりも前・後方向に突出することがなく、例えば、図９に示すように遊技盤２０を閉鎖したときに、これらの各部が前方の収容枠１１に当接しないようになっている。
【００５２】
一方、下部開閉機構４０Ｂは、その構成を図３、図７、図１０および図１１に示すように、収容枠１１の下部にねじ固定される固定ヒンジ部材１３と、一端が固定ヒンジ部材１３に相対揺動可能に連結され他端側が左方に延びて化粧板２１の下面を支持する揺動ヒンジ部材４３とを主体とし、固定ヒンジ部材１３と揺動ヒンジ部材４３とがヒンジピン１３ｄを用いて相対揺動可能に連結されている。化粧板２１の右下端部には揺動ヒンジ部材４３と嵌合する揺動ヒンジ係合部２３が形成されている。
【００５３】
固定ヒンジ部材１３は、前述の固定ヒンジ部材１２と略同様に形成されており、収容枠１１にねじ固定されるベース部１３ａと、このベース部１３ａの下部が左右に切り離されて各下端部が異なる高さ位置で折り曲げられて後方に突出する第１支持部１３ｂおよび第２支持部１３ｃ、第１支持部１３ｂに上方に突出して固着されたヒンジピン１３ｄ、第２支持部１３ｃに上方に突出して固着された裏セットヒンジピン１３ｅなどの各部で構成される。ここで、第２支持部１３ｃおよび裏セットヒンジピン１３ｅは、裏セット盤揺動ヒンジ部材３３（図２を参照）を揺動可能に支持して裏セット盤３０を着脱および横開き開閉可能に支持する支持構造であり、遊技盤２０の開閉着脱機構と裏セット盤３０の開閉着脱機構とが共通の固定ヒンジ部材１３を用いて構成されている。固定ヒンジ部材１３は固定ヒンジ部材１２と同様の金属材料を用いて同様の加工手段で形成される。
【００５４】
揺動ヒンジ部材４３は、平面視において略Ｌ字状に形成された板状のアーム部４３ｂ、このアーム部４３ｂ基端側のヒンジ係合部に穿設された円孔状のヒンジ係合孔４３ｄ、アーム部４３ｂの前方に上下に屈曲成形された遊技盤係合部（挟持係合部４３ｆ，側端係合片４３ｇ）、遊技盤係合部から収容枠１１の枠形状に合わせて左方に伸びる遊技盤支持部（下面支持部４３ｈ，裏面支持部４３ｉ）および遊技盤支持部の先端側に形成された長穴状の支持孔部４３ｊなどからなり、既述した揺動ヒンジ部材４２と同様の金属材料を用いて同様の加工手段で形成される。
【００５５】
アーム部基端側のヒンジ係合部に形成されたヒンジ係合孔４３ｄは、ヒンジピン１３ｄの外径よりもわずかに大きな内径を有して嵌脱自在に形成されており、ヒンジピン１３ｄにワッシャ４４ｄを係合させて上方からヒンジ係合孔４３ｄを係合させることで、揺動ヒンジ部材４３が第１支持部１３ｂに揺動可能に枢支される。ワッシャ４４ｄは、第１支持部１３ｂとアーム部４３ｂの基端部との間に挟持させて第１支持部１３ｂとアーム部４３ｂとの摺動面積を低減させることで、揺動開閉時の摩擦抵抗を低減させるために挿入しており、揺動ヒンジ部材４３がヒンジピン１３ｄを回転軸として滑らかに揺動されるようになっている。
【００５６】
アーム部４３ｂの前端側に形成された遊技盤係合部は、前後方向に延びるアーム部４３ｂの前端側が上下に屈曲成形されて側面視上方に開く凹状の挟持係合部４３ｆと、挟持係合部４３ｆの下辺右端部が上方に曲げ起こされた側端係合片４３ｇとからなり、化粧板２１の右下端部に形成された揺動ヒンジ係合部２３と係合可能に形成されている。
【００５７】
遊技盤係合部（４３ｆ，４３ｇ）から左方に延びて形成された遊技盤支持部は、化粧板２１の下面を支持する下面支持部４３ｈと、この下面支持部４３ｈの後端側が曲げ起こされて化粧板２１の裏面を支持する裏面支持部４３ｉとからなり、側断面視Ｌ字状に形成されて曲げ強度を高めた構成になっている。遊技盤支持部の先端側には下面支持部４３ｈの表裏を貫通して左右方向に延び、仮支持機構５０の係合ネジ４５と係合する長穴状の支持孔部４３ｊが形成され、その右端側に格納時にネジ部を収容する収容部４３ｋが形成されている。
【００５８】
揺動ヒンジ部材４３は、収容枠１１の位置形状と固定ヒンジ部材１３の位置形状とに合わせて形成されており、アーム部基端側のヒンジ係合部がワッシャ４４ｄを介して第１支持部１３ｂ上に枢支され、遊技盤２０が遊技盤係合部および遊技盤支持部に嵌合支持されて収容枠１１に閉鎖されたときに、化粧板２１の表面が収容枠１１の前方支持面に当接支持されるとともに、下面支持部４３ｈが収容枠１１の下方の枠上に支持されるように形成されている。
【００５９】
なお、挟持係合部４３ｆは、次述する化粧板２１の被挟持部２３ｆの前後方向厚さよりも幾分小さめに設定されるとともに、前方の立設壁面の前端位置が上記閉鎖姿勢における化粧板２１の表面と同一もしくはわずかに後方に位置するように形成されている。また下面支持部４３ｈは化粧板２１を支持したときに化粧板２１の表面よりも前方に突出しないように形成されている。
【００６０】
化粧板２１の揺動ヒンジ係合部２３には、化粧板２１の右下端部に挟持係合部４３ｆと係合する被挟持部２３ｆが形成されている。被挟持部２３ｆは挟持係合部４３ｆの前方の立設壁面の位置及び形状寸法に合わせて化粧板２１の表面側を揺動ヒンジ部材４３の板厚分もしくは板厚よりもわずかに深くザグリ加工することによって形成され、化粧板２１の製作過程においてアウト口２７の形成や入賞具取付部の形成等と同一工程上で、上方の揺動ヒンジ係合部２２とともにルータ加工により形成される。なお、化粧板２１の下端面の高さ位置は、遊技盤２０を収容枠１１に閉鎖して位置決めピン１１ｐと位置決め孔２１ｐとを嵌合接続させたときに、化粧板２１の下端面と収容枠１１の枠部上面との間の間隔が揺動ヒンジ部材４３の板厚と同一もしくは板厚よりもわずかに大きくなるように形成されている。
【００６１】
このため、化粧板２１が揺動ヒンジ部材４３の遊技盤支持部に支持され遊技盤係合部に嵌合接続されると、下面支持部４３ｈが化粧板２１の下端面と係合して遊技盤２０を上下方向に支持し、挟持係合部４３ｆが被挟持部２３ｆを挟み込むように係合して化粧板２１を前後方向に挟持保持するとともに、裏面支持部４３ｉが化粧板２１の裏面と係合して前後方向に支持し、側端係合片４３ｇが化粧板２１の右側端面と係合して左右方向に支持する。これにより、遊技盤２０が揺動ヒンジ部材４３および固定ヒンジ部材１３を介して、収容枠１１に横開き開閉および着脱可能に取り付けられる。
【００６２】
前述したように、挟持係合部４３ｆの前方立設壁面の前端位置は遊技盤を閉鎖した状態における化粧板２１の表面と同一もしくはわずかに後方に位置するように形成され、下面支持部４３ｈは化粧板２１を支持したときに化粧板２１の表面よりも前方に突出しないように形成されている。このため、上記嵌合姿勢において挟持係合部４３ｆや下面支持部４３ｈが化粧板２１の表面よりも前方に突出することがなく、遊技盤２０を閉鎖したときに各部が前方の収容枠１１に当接しないようになっている。
【００６３】
さて、このように構成される下部開閉機構４０Ｂの下方に位置して、揺動ヒンジ部材４３を揺動開閉可能に支持する仮支持機構が設けられる。図３、図１１、および図１２〜図１５に第１実施例の仮支持機構５０を示しており、以下これ等の各図を参照して仮支持機構５０について説明する。なお、図１２は仮支持機構５０およびその取付部周辺構造を示す分解斜視図、図１３は図１２中の矢印XIII方向に見た仮支持機構５０の側面図、図１４は図１２中の矢印XIV方向に見た仮支持機構５０の背面図（この機構部に関する正面図）、図１５は遊技盤２０を収容枠１１に閉鎖した状態を示す仮支持機構５０の平面図である。
【００６４】
仮支持機構５０は、前枠２における遊技補助盤１５の裏面側にねじ固定されるベース部材５１、ベース部材５１に水平旋回可能に支持される支軸５２、支軸５２の上端部に結合された遊技盤仮受け部材５３、支軸５２に設けられた雌ネジ部５２ｓに螺合されるサムスクリュー５５などから構成される。
【００６５】
ベース部材５１は、左右のベース部５１ａと、左右のベース部５１ａの間に支軸５２の軸径に合わせて円筒面状に曲げ加工され上下に延びる軸支持部５１ｂとを主体として構成され、左右ベース部５１ａの所定位置にはベース部材５１を固定するための取付孔５１ｈが形成され、軸支持部５１ｂには水平に溝加工されたガイド溝５１ｓが形成されている。ガイド溝５１ｓの溝幅はサムスクリュー５５の雄ネジ部の外径よりもわずかに大きめに設定されており、サムスクリュー５５がこのガイド溝５１ｓを通して支軸５２の雌ネジ部５２ｓに螺合されたときに、サムスクリュー５５を支持および案内して支軸５２を水平旋回可能に支持する。ベース部材５１は、所定板厚の冷間圧延鋼板やメッキ鋼板、ステンレス鋼板等をパンチングやプレス成形等の公知の加工手段により図示する形状に成型し、必要に応じて所要の表面処理を行って形成する。
【００６６】
支軸５２は、所定外径の金属パイプ（または中実丸棒）をベースとして構成され、所定の高さ位置に雌ネジ部５２ｓが形成されている。支軸５２の上端部には雌ネジ部５２ｓの軸線に対して所定の方位角度（例えば雌ネジ部の軸線と遊技盤仮受け部材の延びる方向の相対角度が４５度）を向くように、遊技盤仮受け部材５３が固着される。
【００６７】
遊技盤仮受け部材５３は、揺動ヒンジ部材の下面支持部４３ｈを支持する支持面部５３ａと、この支持面部５３ａから前方に延びるとともに下方にオフセット成形された逃げ部５３ｂとを主体として構成され、ベース部材５１と同様の金属材料を用いて同様の加工手段により図示する形状に形成する。
【００６８】
支持面部５３ａは、この仮支持機構が遊技補助盤１５に組み付けられ、サムスクリュー５５がガイド溝５１ｓを通して支軸５２の雌ネジ部５２ｓに螺合されたときに、その上面が収容枠１１における下方枠部の上面高さと同一またはこれよりわずかに高くなるように形成され、その表裏を貫通して係合ネジ４５を受容する雌ネジ部５３ｄが形成されている。また、逃げ部５３ｂは収容枠１１の下方に位置するように支持面部５３ａから下方にオフセット成形されるとともに、その前端側に支軸５２の内径と略同径の円孔が形成され、この円孔の上方から支軸５２に段付プラグ状の固定部材を圧入する等の固定手段により、支軸５２の上端部に前記所定の方位角度をもって固着される。支持面部５３ａと逃げ部５３ｂとの間には、支持面部５３ａに作用する荷重によって遊技盤仮受け部材５３が撓み変形しないように、剛性を向上させるリブ５３ｃがプレス成形されている。
【００６９】
一方、遊技補助盤１５の裏面側には、仮支持機構５０を取り付けるための機構取付部１６が形成されている。機構取付部１６には、支軸５２の外周曲面に合わせた支持面を有して上下に延びる支持レール部１６ｂ、ベース部５１ａに形成された取付孔５１ｈと位置整合するねじ受容部を有した円筒状の取付ボス１６ａが突出成型されている。また、この機構取付部１６の右方（固定ヒンジ部材１３側）に位置する収容枠１１の下方枠部は、支持面部５３ａの揺動軌跡に合わせて一部切り欠かれて上下に連通する受容開口１１ａが形成されており、仮支持機構を折りたたんだときに支持面部５３ａを収容可能に構成されている（図１５を参照）。
【００７０】
このように構成される各部材の組み付けに当たっては、ベース部材５１の軸支持部５１ｂに支軸５２を係合させ、支軸５２の円筒外周面を支持レール部１６ｂに支持させるようにベース部材５１および支軸５２を機構取付部１６に配設する。次いでベース部材５１の４カ所の取付孔５１ｈを取付ボス１６ａに位置合わせし、取付孔５１を通してネジ５８を螺合締結させてねじ止めする。そして、サムスクリュー５５の雄ネジ部をガイド溝５１ｓを通して支軸５２の雌ネジ部５２ｓに螺合させるとともに、支持面部５３ａ上に揺動ヒンジ部材の下面支持部４３ｈを載置して雌ネジ部５３ｄと支持孔部４３ｊとを位置合わせし、上方から係合ネジ４５を螺合させて遊技盤仮受け部材５３と揺動ヒンジ部材４３とを係合連結させる。係合ネジ４５は全ネジ構成でなくネジ頭部側に雄ネジが形成されていない領域を有しており、係合ネジ４５を螺合させて締め込んだたときにネジ頭部の座面と支持面部５３ａの上面との間に揺動ヒンジ部材４３の板厚よりも幾分大きめの隙間が形成されるようになっている。
【００７１】
このため、上記のようにして仮支持機構が組み付けられ、遊技盤仮受け部材５３と揺動ヒンジ部材４３とが連結されると、揺動ヒンジ部材４３における下面支持部４３ｈが支持面部５３ａに支承されて遊技盤２０から作用する荷重が支持されるとともに、係合ネジ４５が支持孔部４３ｊに沿ってスライド移動可能に係合し、揺動ヒンジ部材４３が閉鎖姿勢から仮受け部材５３の揺動アームの長さ（すなわち支軸５２と係合ネジ４５との間隔）に応じた開放角度の間で揺動開閉可能に支持される。
【００７２】
なお、支持孔部４３ｊの右端部には揺動ヒンジ部材４３を閉鎖角度位置まで揺動させたときに係合ネジ４５の雌ネジ部を収容する収容部４３ｋが形成されており、また化粧板の下端面には係合ネジ４５のネジ頭部を受容するネジ受容溝２３ｓが形成されている。このため、化粧板２１を上下の開閉機構４０Ａ，４０Ｂに嵌合支持させた状態で遊技盤２０を揺動開閉させることができ、閉鎖姿勢にあっては係合ネジ４５を収容部４３ｋに収容させ、支持面部５３ａを受容開口１１ａに受容させて殆ど裏セット盤３０側に突出することない仮支持機構を構成している。
【００７３】
ところで、本実施例に示す開閉機構４０Ａ，４０Ｂでは、図９および図１１に示すように、上下の揺動ヒンジ部材４２，４３におけるアーム部４２ｂ，４３ｂの基端側に、揺動ヒンジ部材４２，４３を所定の開放角度まで揺動させたときに、各固定ヒンジ部材のベース部１２ａ，１３ａと当接して開放角度を規定する角度規定部４２ｓ，４３ｓが形成されており、遊技盤２０を装着するときに上下の揺動ヒンジ部材４２，４３の開放角度が同一、すなわち挟持係合部４２ｆ，４３ｆの溝方向が同一方向に揃い、各揺動ヒンジ係合部２２，２３と容易に係合させることができるようように構成している。いま、このようにして規定される開放角度を便宜的に「着脱操作角度」という。
【００７４】
また、仮支持機構５０では、支軸５２の軸心と係合ネジ４５の軸心とを結ぶ揺動アームの軸線が、支持孔部４３ｊの延びる軸線と直交する角度位置よりもさらに左方に揺動して上記両者の軸線が成す挟み角（固定ヒンジ部材側の交叉角度）が９０度よりも幾分小さくなるように構成され、また係合ネジ４５が支持孔部４３ｊの左端に当接したときの揺動ヒンジ部材４３の開放角度が上記着脱操作角度になるように構成されている。
【００７５】
このため、遊技盤２０を開放する際に、揺動ヒンジ部材４３と遊技盤仮受け部材５３とが相互に相対揺動して係合ネジ４５が支持孔部４３ｊの溝内を左方に向けてスライド移動する過程で、一旦着脱操作角度に相当する揺動角度に達し、揺動ヒンジ部材４３をわずかに弾性変形させるようにして上記両軸線が直交する最大揺動角度を乗り越えた後、係合ネジ４５が支持孔部４３ｊの左端に到達して着脱操作角度に保持される。このようにして係合ネジ４５が支持孔部４３ｊの左端に到達した着脱操作角度では、遊技盤仮受け部材５３を固定ヒンジ部材１３の方向に押圧して強制的に揺動させない限り揺動ヒンジ部材４３が自ら閉鎖方向に揺動するようなことがなく、遊技盤２０の着脱作業時に揺動ヒンジ部材４３に作用する外力に抗して開放姿勢が安定保持される。なお、サムスクリュー５５を締め込むことにより上記開放姿勢をより強固に安定化させることができる。
【００７６】
さて、以上のように開閉着脱機構４０と仮支持機構５０とから構成される着脱補助機構の作用について、遊技盤２０を装着する際の操作から説明する。作業者は、予め前枠開放保持機構１５０および裏セット盤開放保持機構１６０を利用して前枠２および裏セット盤３０を図４に示すように開放保持させるとともに、上下の揺動ヒンジ部材４２，４３を着脱操作角度に設定する。このとき上部開閉機構４０Ａのボルト・ナット４４ａ，４４ｂを締結し、揺動ヒンジ部材４２が自由に揺動しないように係止させておく。そして、図４中に二点鎖線で示すように遊技盤２０を斜めに搬入し、化粧板２１遊の右端部を揺動ヒンジ部材４２，４３の挟持係合部に近接させた位置で、一旦、化粧板２１を揺動ヒンジ部材４３の下面支持部４３ｈ上に載置して遊技盤２０を仮支持機構５０に仮支持させる。このとき、係合ネジ４５がネジ受容溝２３ｓに受容されるとともに、化粧板２１の裏面が裏面支持部４３ｉに当接して遊技盤の前後方向位置がほぼ位置合わせされる。
【００７７】
次いで、このように遊技盤２０が仮支持された状態で、化粧板２１の左側端面を固定ヒンジ１２，１３の方向（右方向）に押圧し、遊技盤２０を裏面支持部４３ｉに沿ってスライド移動させる。このとき、下部開閉機構４０Ｂでは、揺動ヒンジ係合部２３が右動して被挟持部２３ｆが挟持係合部４３ｆの溝内に嵌入し、化粧板２１の右側端面が側端係合片４３ｇに当接して嵌合接続する。一方、上部開閉機構４０Ａでは、揺動ヒンジ係合部２２が右動して受容係合口２２ｇ内に弾性係合片４２ｇを受容するとともに、被挟持部２２ｆが挟持係合部４２ｆの溝内に嵌入し、受容係合口２２ｇの奥部端面が弾性係合片４２ｇの側端面に当接して嵌合接続する。
【００７８】
ここで、上下の揺動ヒンジ部材４２，４３は、ともに着脱操作角度に固定設置されており、かつ化粧板２１が裏面支持部４３ｉにガイドされてスライド移動される構成のため、被挟持部２２ｆ，２３ｆと挟持係合部４２ｆ，４３ｆの面方向および前後位置が整合し、容易かつ確実に嵌合接続させることができる。また、弾性係合片４２ｇの左上端部は曲げ加工により曲面状に形成されているため、化粧板２１をスライド移動させることで滑らかに嵌合接続させることができる。なお、被挟持部２２ｆ，２３ｆの右側端角部をテーパ状に形成し、あるいは挟持係合部４２ｆ，４３ｆの左端に左方に開く一定の導入部を設けることなどにより上記嵌合接続の確実性をさらに高めた構成とすることも可能である。
【００７９】
このようにして上下の揺動ヒンジ係合部２２，２３と揺動ヒンジ部材４２，４３とがそれぞれ嵌合接続されると、化粧板２１が上下の挟持係合部に挟まれるようにして固定ヒンジ部材１２，１３に支持される。
【００８０】
次いで、作業者は上部開閉機構４０Ａにおけるボルト４４ａとナット４４ｂとの締結を緩めて揺動ヒンジ部材４２の係止を解除し、遊技盤仮受け部材５３の左側端面を右方に押圧して遊技盤仮受け部材５３を平面視における反時計回りに揺動させる。このとき、係合ネジ４５が支持孔部４３ｊの溝内を右方にスライド移動する過程で揺動ヒンジ部材４３の最大揺動角度（前述した揺動アームの軸線と支持孔部の軸線とが直交する揺動角度）を乗り越え、以降遊技盤２０は遊技盤を閉鎖する閉鎖角度位置までの角度範囲で揺動開閉自在な状態に支持される。
【００８１】
そこで、作業者は遊技盤２０の裏面を前方に押圧して遊技盤２０を収容枠１１に収容させ、収容枠１１の枠部後縁に配設された閉鎖クランプ１４（１４ａ，１４ｂ，１４ｃ）を回動操作して化粧板２１の裏面に係合させる。これにより遊技盤２０が前枠２の所定位置にセット保持され、遊技領域ＰＡがガラス扉５に臨んで配設される。
【００８２】
このとき、仮支持機構５０側では、揺動移動する支持孔部４３ｊに案内されて係合ネジ４５がこの支持孔部４３ｊの溝内を右方にスライド移動し、これに伴って遊技盤仮受け部材５３および支軸５２が支軸の軸まわりに回動され、サムスクリュー５５がガイド溝５１ｓに沿って移動される。そして、遊技盤２０が収容枠１１に閉鎖された閉鎖角度位置では、図１４（二点鎖線）および図１５に示すように、係合ネジ４５が支持孔部４３ｊの右端側に形成された収容部４３ｋに収容され、遊技盤仮受け部材の支持面部５３ａが受容開口１１ａ内に収容されて、遊技盤仮受け部材５３が遊技補助盤１５の壁面と平行に収容枠１１の下方に格納される。ここでサムスクリュー５５を締め込むことにより閉鎖クランプ１４を回動閉鎖しなくても遊技盤２０を閉鎖姿勢に仮止めすることができるとともに、振動等による仮支持機構５０のがたつきや緩みを防止してこの機構を安定保持させることができる。
【００８３】
一方、遊技盤２０を取り外す場合には、上記同様に前枠２と裏セット盤３０とを開放状態に保持させた状態で、サムスクリュー５５を緩め、閉鎖クランプ１４を回動操作して化粧板２１裏面との係合を解除させ、化粧板２１の上縁部に指をかけて遊技盤２０を手前に引き出すように遊技盤２０を横開き開放する。
【００８４】
このとき、揺動移動する支持孔部４３ｊに案内されて係合ネジ４５がこの支持孔部４３ｊの溝内を左方にスライド移動し、これに伴って遊技盤仮受け部材５３および支軸５２が支軸の軸まわりに回動される。ここで、係合ネジ４５が支持孔部４３ｊの溝内を左方にスライド移動する過程において揺動ヒンジ部材の揺動角度が着脱操作角度に到達すると、上下の揺動ヒンジ部材の角度規定部４２ｓ，４３ｓが各固定ヒンジ部材のベース部１２ａ，１３ａに当接し、開放方向への抵抗力が生じてくる。
【００８５】
作業者は、この状態から揺動ヒンジ部材をわずかに弾性変形させて遊技盤２０を後方に開きながら、遊技盤仮受け部材５３を平面視における時計回りに回動させ、係合ネジ４５を支持孔部４３ｊの左方に移動させて揺動ヒンジ部材４３の最大揺動角度を乗り越えさせる。以降遊技盤２０は再び閉鎖方向に揺動し、係合ネジ４５が支持孔部４３ｊの左端に到達して着脱操作角度に保持される。着脱操作角度では、遊技盤仮受け部材５３を右方に押圧して揺動させない限り遊技盤２０が自ら閉鎖方向に揺動することがなく開放姿勢が安定保持される。
【００８６】
そこで、作業者は遊技盤２０を搬出するのに適宜な部位、例えば化粧板２１の左右側縁部を把持し、化粧板２１を揺動ヒンジ部材の裏面支持部４３ｉに沿って左方に引き出すようにスライド移動させ、揺動ヒンジ部材４２，４３と揺動ヒンジ係合部２２，２３との嵌合接続を解除させる。あとは、図４中に二点鎖線で示すように遊技盤２０を斜めに引き出し、遊技盤２０を収容枠１１から取り外す。
【００８７】
従って、以上のように構成される着脱補助機構によれば、熟練作業者によることなく遊技盤２０の着脱操作を容易に行うことができる。また、個々の遊技盤に揺動ヒンジ部材を固定配設する必要がなく、かつ揺動ヒンジ係合部２２，２３は他の盤面加工と同時にルータ加工で形成することができるため、遊技盤２０の製作コストや盤面交換時の必要コストを低減させることができる。さらに、揺動ヒンジ部材４２，４３を切り離した状態で遊技盤の取り扱いができるため、遊技盤２０の搬送や盤面交換等の取扱時に誤って揺動ヒンジ部材をぶつけて変形させてしまうようなことがない。
【００８８】
また、揺動ヒンジ部材４３の下面を支持して遊技盤２０の荷重を支持する仮支持機構５０を備え、揺動ヒンジ部材４３の上面に遊技盤２０を仮支持させてスライド移動および揺動開閉させるだけで着脱することができるため、大型かつ重量物の遊技盤であっても熟練者によることなく容易に着脱作業することができる。また、仮支持機構５０では、遊技盤２０を収容枠１１に収容保持させたときに機構部材が収容枠１１の下方に格納される形態のため、コンパクトで利便性の高い着脱補助機構を構成することができる。
【００８９】
なお、上記実施例では揺動ヒンジ部材４２，４３に角度規定部４２ｓ，４３ｓを設け、固定ヒンジ部材１２，１３のベース部に当接させて着脱操作角度を設定する場合を例示したが、このような揺動角度規制に替えて、例えば、ボールプランジャやインデックスプランジャ等を用いて揺動ヒンジ部材４２，４３を着脱操作角度に係止可能に構成してもよい。またこの場合に、着脱操作角度の揺動角度位置と遊技盤２０が閉鎖された閉鎖角度位置など、複数の角度位置で係止可能に構成してもよい。
【００９０】
また、本実施例では遊技盤仮受け部材５３の一端が遊技補助盤１５側に揺動可能に支持され、他端側が係合ネジ４５を介して揺動ヒンジ部材４３の支持孔部４３ｊにスライド移動可能に係合する例を示したが、これを逆構成としてもよい。すなわち、遊技盤仮受け部材の一端を揺動ヒンジ部材の下面支持部４３ｈに揺動可能に枢結し、他端側を遊技補助盤に左右方向にスライド移動可能に取り付けたスライドレールに支持させて、揺動ヒンジ部材の揺動開閉に応じて遊技盤仮受け部材の他端側がスライド移動するように構成することもできる。この場合に、スライドレールの左端係止位置は、遊技盤仮受け部材をその左端係止位置まで移動させたときに、遊技盤仮受け部材の揺動アームの軸線と揺動ヒンジ部材の延びる方向の軸線とがなす挟み角（固定ヒンジ部材側の交叉角度）を９０度よりも幾分大きめに設定することにより、既述した仮支持機構５０と同様に着脱操作角度位置での安定度が高い仮支持機構を構成することができる。
【００９１】
次に、遊技盤の着脱補助機構の他の実施形態について、図１６〜図１８の各図を参照しながら簡潔に説明する。ここで図１６は図６に対応して第２実施例の上部開閉機構４０Ｃを示す分解斜視図、図１７および図１８はそれぞれ図１４および図１３に対応して第２実施例の仮支持機構６０を示す背面図（この機構部に関する正面図）および側面図である。なお、以下では既に説明した開閉機構４０Ａ，４０Ｂおよび仮支持機構５０と同様の構成部分に同一番号を付して重複説明を省略する。
【００９２】
上部開閉機構４０Ｃは、収容枠１１にねじ固定される固定ヒンジ部材１１２と、基端側の上下端部が固定ヒンジ部材１１２に相対揺動可能に連結され他端中央部が化粧板２１と嵌脱可能に係合する揺動ヒンジ部材１４２とを主体として構成され、固定ヒンジ部材１１２と揺動ヒンジ部材１４２とが、前述したと同様のボルト・ナットを用いて相対揺動可能に連結される。また化粧板２１には揺動ヒンジ部材１４２と嵌合する揺動ヒンジ係合部１２２が形成される。なお本実施例では、化粧板２１の板厚中心の延長線上に固定ヒンジ部材１１２と揺動ヒンジ部材１４２との揺動連結軸を配設した例を示しており、固定ヒンジ部材１１２がねじ固定される収容枠１１の固定部は、この揺動連結軸の配設位置に合わせて前方に凹設されている。また、下部開閉機構における揺動連結軸および収容枠の固定部もこれに合わせてオフセットされている。
【００９３】
固定ヒンジ部材１１２は、収容枠１１にねじ固定されるベース部１１２ａと、このベース部１１２ａの上下端部がコの字状に折り曲げられて上下平行に後方に突出する第１支持部１１２ｂ，１１２ｂ、ベース部１１２ａの下部が左右に切り離されるとともに第１支持部１１２ｂと異なる高さ位置で折り曲げられて後方に突出する第２支持部１１２ｃ、上下の第１支持部１１２ｂに円孔状に穿設された支軸孔１１２ｄ、第２支持部１１２ｃに上方に突出して固着された裏セットヒンジピン１１２ｅなどの各部で構成される。ここで、第２支持部１１２ｃおよび裏セットヒンジピン１１２ｅは、前記同様に裏セット盤揺動ヒンジ部材３２を揺動可能に支持して裏セット盤３０を着脱および横開き開閉可能に支持する支持構造である。固定ヒンジ部材１１２は、既述した各固定ヒンジ部材と同様の金属材料を用いて同様の加工手段で形成される。
【００９４】
揺動ヒンジ部材１４２は、上下方向に延びる揺動ベース部１４２ａと、このアーム部の上下端部がコの字状に折り曲げられて上下平行に右方に突出するアーム部１４２ｂ，１４２ｂ、上下のアーム部１４２ｂに穿設された円孔状のヒンジ係合孔１４２ｄ、揺動ベース部１４２ｂの前後がコの字状に折り曲げられて前後平行に左方に突出する挟持係合部１４２ｆ、および挟持係合部の前後の壁面間に固着され前後に延びる係合筒１４２ｇからなり、揺動ヒンジ部材４２と同様の金属材料を用いて同様の加工手段で形成される。挟持係合部１４２ｆの前後の壁面間隔は、その外形寸法が化粧板２１の板厚と同一または幾分小さめに設定されている。
【００９５】
揺動ヒンジ部材１４２のアーム部１４２ｂ，１４２ｂの上下外面間隔は、ベース部材１１２の上下の第１支持部１１２，１１２ｂの上下内面間隔よりも幾分小さめに形成されており、揺動ヒンジ部材１４２ｂが上下の第１支持部１１２ｂの間に挟持されるように配設され、上下各支軸孔１１２ｄとヒンジ係合孔１４２ｄとがそれぞれボルト・ナット（４４ａ，４４ｂ）で締結されて、揺動ヒンジ部材１４２が揺動可能に固定ヒンジ部材１１２に連結される。なお、上下のアーム部１４２ｂの面間と上下の第１支持部１１２ｂの面間を同一として、上下両方のアーム部を第１支持部１１２ｂの上面に支持させる構成としてもよく、また上下いずれか一方または両方の係合連結部をヒンジピンとヒンジ係合孔の構成としてもよい。
【００９６】
一方、化粧板２１の揺動ヒンジ係合部１２２には、挟持係合部１４２ｆと係合する被挟持部１２２ｆ、および係合筒１４２ｇを受容して係合する受容係合口１２２ｇがルータ加工により形成されている。揺動ヒンジ係合部１２２は、揺動ヒンジ部材１４２が固定ヒンジ部材１１２に取り付けられ、遊技盤２０が揺動ヒンジ部材１４２に嵌合接続されて収容枠１１に収容保持されたときの挟持係合部１４２ｆおよび係合筒１４２ｇの位置および形状寸法に合わせて形成される。
【００９７】
このうち、被挟持部１２２ｆは、化粧板２１の表裏面を挟持係合部１４２ｆの位置および形状寸法に合わせてザグリ加工することによって形成され、表裏のザグリ深さが揺動ヒンジ部材１４２の板厚と同一または幾分大きく、残余の板厚が挟持係合部１４２ｆの前後の壁面の内面間隔よりもわずかに大きくなるように設定されている。また受容係合口１２２ｇは、表裏を貫通し化粧板２１の右側端面から左方に向けて切り込まれたＵ字状の溝形態をなし、溝幅が係合筒１４２ｇの直径よりもわずかに大きく、溝深さが係合時の係合筒１４２ｇの配設位置よりも深く形成されている。
【００９８】
このように構成される上部開閉機構４０Ｃにおける遊技盤２０の着脱操作は、既述した着脱補助機構と同様に行われる。すなわち、遊技盤２０を下方の揺動ヒンジ部材の下面支持部４３ｈ上に載置して遊技盤２０を仮支持させ、化粧板２１の左側端面を固定ヒンジ１３の方向（右方向）に押圧して遊技盤２０を裏面支持部４３ｉに沿ってスライド移動させる。このとき上部開閉機構４０Ｃでは、挟持係合部１４２ｆが被挟持部１２２ｆを挟み込むように係合して化粧板２１を前後方向に挟持保持するとともに、係合筒１４２ｇが受容係合口１２２ｇに受容されて化粧板２１を上下方向に支持し、揺動ベース部１４２ａが化粧板２１の右端面に当接して化粧板２１を左右方向に支持する。これにより、遊技盤２０が揺動ヒンジ部材１４２および固定ヒンジ部材１１２を介して、収容枠１１に横開き開閉および着脱可能に取り付けられる。
【００９９】
従って、本実施例に示す上部開閉機構４０Ｃにおいても、前示した上部開閉機構４０Ａと同様に容易に遊技盤２０の着脱操作を行うことができ、同様の効果を得ることができる。また、本実施例の開閉機構４０Ｃでは挟持係合部１４２ｆと被挟持部１２２ｆとの係合面積が広く、かつ揺動ヒンジ部材１４２が第１支持部１１２ｂに上下２カ所で支持される構成のため、比較的重量のある遊技盤等に対しても利用可能な強固な支持構造を提供することができる。
【０１００】
さらに、本構成では遊技盤２０をスライド移動させて嵌合接続させる際に作用する押圧力の作用線上に揺動連結軸があるため、これらがオフセットされている場合のような回転モーメントが作用することがなく、ボルトナットの締結力が弱い場合であっても装着作業中に揺動ヒンジ部材が揺動して逃げてしまうようなことがない。なお、挟持係合部１４２ｆの先端側に一定の導入部を設けること、または被挟持部１２２ｆの表裏面の右端角部にテーパ状の導入部を形成することなどにより、この効果をさらに向上させることも可能である。
【０１０１】
また、本実施例の開閉機構４０Ｃでは、受容係合口１２２ｇと係合する係合部材として円筒状の係合筒１４２ｇを用いているため、嵌合接続時に円筒面が導入ガイドとして作用し、遊技盤を容易に係合させることができる。なお、係合筒１４２ｇを回転自在なローラ構成とすることにより上記効果をさらに高めることも可能である。
【０１０２】
なお、以上では上部開閉機構の構成例として化粧板２１の右側縁部に係合する側縁係合形態の開閉機構を例示したが、遊技盤２０の上下端部に同様の上下縁支持形態の開閉機構を設ける構成（例えば、開閉機構４０Ｂと、開閉機構４０Ｂにおける挟持係合部４３ｆの向きを上下逆構成にした開閉機構４０Ｂ′とを設ける構成）としてもよく、また下部開閉機構４０Ａ〜４０Ｃの各構成部分を適宜組み合わせた構成としてもよい。また、各実施例では遊技盤２０用の固定ヒンジ部材と裏セット盤３０用の固定ヒンジ部材とを、共通のベース部１２ａ，１３ａに形成した例を示したが、遊技盤用に別個独立した固定ヒンジ部材を設ける構成としてもよい。
【０１０３】
次に、図１７および図１８に示す第２実施例の仮支持機構６０は、前枠２における遊技補助盤１５の裏面側にねじ固定されるベース部材６１、ベース部材６１に水平旋回可能に支持されるとともにその上部がクランク状に折り曲げられた遊技盤仮受け部材６３、遊技盤仮受け部材を閉鎖角度位置または着脱角度位置に係止保持するボルト６５などから構成される。
【０１０４】
ベース部材６１は、左右のベース部６１ａと、左右のベース部６１ａの間に支軸６２の軸径に合わせて円筒面状に曲げ加工され上下に延びる軸支持部６１ｂとを主体として構成され、左右ベース部６１ａにはベース部材６１を位置決めする位置決め孔６１ｃおよびネジ５８を挿通させてベース部材６１を固定する取付孔が形成され、軸支持部６１ｂにはボルト６５を螺合させる雌ネジ部６１ｓが形成されている。ベース部材６１は、前述したベース部材５１と同様の金属材料を用いて同様の加工手段により形成される。
【０１０５】
遊技盤仮受け部材６３は、上下方向に延びる支軸部６３ａとこの支軸部の上部が直角に折り曲げられて水平に延びるアーム部６３ｂ、アーム部の先端側が支軸部と平行に折り曲げられて上方に突出し揺動ヒンジ部材の支持孔部４３ｊと係合する支持端部（支持部材６３ｃ，挟持部材６３ｄ）、遊技盤仮受け部材６３を所定の高さ位置で回動可能に支持する支持板６３ｅなどからなり、所定線径の棒材を曲げ加工してクランク状に形成したのち、先端部に支持部材６３ｃおよび挟持部材６３ｄをカシメ圧着やプラグ圧入等により固着して支持端部を形成し、また支軸部６３ａの所定高さ位置に支持板６３ｅをカシメ圧着して形成する。
【０１０６】
支持端部は、仮支持機構が遊技補助盤１５に組み付けられたときに、支持部材６３ｃの上面の高さ位置が収容枠１１における下方枠部の上面高さと同一またはこれよりわずかに高くなるように設定され、支持部材６３ｃと挟持部材６３ｄの間隔は揺動ヒンジ部材４３の板厚よりも幾分大きめになるように設定されている。また、アーム部６３ｂはその上端の高さ位置が収容枠１１の下面よりも低く設定され、収容枠１１の下方枠部にはアーム部を旋回させたときに支持端部を受容する受容開口１１ａ′が形成されている。なお、支軸部６３ａの下方には、アーム部６３ｂの方位角度方向およびこれと直交する方位角度方向に貫通孔ないしサラモミからなるネジ係合部６３ｓが形成されており、ボルト６５のネジ先端部を受容可能になっている。
【０１０７】
一方、遊技補助盤１５の裏面側には、仮支持機構６０を取り付けるための機構取付部１７が形成されている。機構取付部１７には、支軸部６２ａの外周曲面に合わせた支持面を有して上下に延びる支持レール部１７ｂ、ベース部６１ａに形成された位置決め孔６１ｃと嵌合してベース部材６１を位置決めする左右２カ所の位置決めピン１７ｃ、ベース部材６１が位置決めされたときに取付孔６１ｈと位置整合するねじ受容部が形成された円筒状の取付ボス１７ａなどが成型されている。また、揺動ヒンジ部材４３における支持孔部４３ｊの溝幅は遊技盤仮受け部材６３の線径よりも幾分大きく、挟持部材および支持部材の直径よりも小さく形成されるとともに、収容部４３ｋの右側に挟持部材６３ｄが挿通可能な円孔部が形成されている。
【０１０８】
遊技盤仮受け部材６３は、挟持部材６３ｄを円孔部を挿通させて支持孔部４３ｊに係合させた状態で、後方からベース部材６１を覆い被せるようにしてベース部材６１の軸支持部６１ｂを支軸部６３ａに係合させ、またベース部材６１の上端面に支持板６３ｅを支持させて、左右２カ所の位置決め孔６１ｃを位置決めピン１７ｃに嵌合させる。そして取付ボス１７ａに位置合わせされたねじ孔からネジ５８を挿入して締め込むことにより、支軸部６３ａが支持レール部１７ｂと軸支持部６１ｂとの間に前後に挟持されるように軸支され、支持板６３ｅが支持部材６１の上端面に支持されて、遊技盤仮受け部材６３が機構取付部１７に揺動可能に取り付けられる。
【０１０９】
このようにして仮支持機構６０が組み付けられ、遊技盤仮受け部材６３と揺動ヒンジ部材４３とが連結されると、揺動ヒンジ部材４３における下面支持部４３ｈが支持面部６３ａに支承されて遊技盤２０から作用する荷重が支持されるとともに、支持端部が支持孔部４３ｊに沿ってスライド移動可能に係合し、揺動ヒンジ部材４３が閉鎖姿勢からアーム部６３ｂの長さに応じた開放角度の間で揺動開閉可能に支持される。そして、閉鎖角度位置または着脱角度位置ではボルト６５を締め込んでネジ先端部をネジ係合部６３ｓに係合させることで遊技盤仮受け部材６３を係止保持させることができる。
【０１１０】
従って、以上説明した仮支持機構６０においても既述した仮支持機構５０と同様に容易に遊技盤２０の着脱操作を行うことができ、同様の効果を得ることができる。また、本実施例の仮支持機構６０によれば、遊技盤仮受け部材６３が既述した支軸５２および遊技盤支持部材５３の両方の機能を備えた一部材で、かつ規格棒材を加工した簡明な構成で形成されているため、ローコストに仮支持機構を構成することができる。
【０１１１】
なお、以上説明した実施例では収容枠１１が前枠２の裏面側に形成され、遊技盤２０が前枠２の裏面側から着脱される前枠後方着脱形態のパチンコ機ＰＭを例に説明したが、本発明はかかる着脱形態に限るものではなく、例えば、ガラス扉５を開いた状態で前枠２の正面側から遊技盤を着脱する形態（前枠前方着脱形態）の遊技機の場合には、同様の着脱補助機構を前枠の前面側に設けることで同様に構成し同様の効果を得ることができる。また、遊技盤が裏セット盤の前面側または裏面側に着脱可能に支持される形態（裏機構前方着脱形態または裏機構後方着脱形態）の遊技機では、これらの機構を裏セット盤の前面側または裏面側に設けることで同様に構成することができる。
【０１１２】
【発明の効果】
以上説明したように、本発明では、前枠または裏機構部材に固定された固定ヒンジ部材と、一端に固定ヒンジ部材と相対揺動可能に連結するヒンジ係合部が形成され他端側に遊技盤の下面を支持する遊技盤支持部が形成された揺動ヒンジ部材と、一端が揺動ヒンジ部材と係合し他端側が前枠または裏機構部材に支持されて揺動ヒンジ部材の下面を支持する仮受け部材とを備え、ヒンジ係合部が固定ヒンジ部材に連結され、遊技盤が遊技盤支持部を介して仮受け部材に支持されて、遊技盤が前枠または裏機構部材に開閉可能に取り付けられるように遊技盤の着脱補助機構を構成する。
【０１１３】
このような構成の遊技盤の着脱補助機構では、作業者が作業を行いやすい角度位置まで遊技盤を開放させた状態で作業に適宜な位置を把持して遊技盤の着脱を行うことができるうえ、作業中に遊技盤が急に滑り出て落下させてしまうようなことがなく、熟練作業者でなくとも容易に盤面交換を行うことができる。また、揺動ヒンジ部材に遊技盤支持部が形成されて遊技盤が着脱可能に支持される構成のため、揺動ヒンジ部材を固定ヒンジ部材に係合連結させておくことで、個々の遊技盤に揺動ヒンジ部材を設ける必要がなく、遊技盤の製作コストや盤面交換時の必要コストを低減可能であるとともに、遊技盤単体の取扱時に誤って揺動ヒンジ部材をぶつけて変形させてしまうようなことがない。
【０１１４】
さらに、本構成の着脱補助機構では、揺動ヒンジ部材の下面が仮受け部材に支持され、遊技盤が遊技盤支持部を介して仮受け部材に支持される構成のため、比較的質量が大きい遊技盤を支持することが想定される場合であっても、固定ヒンジ部材や固定ヒンジ部材の取付部等の開閉機構を小型に構成することができ、かつ安定して開閉着脱可能な着脱補助機構を得ることができる。従って、以上のような着脱補助機構を設けることにより、遊技盤の着脱作業を容易化して作業性を向上させた遊技機を提供することができる。
【図面の簡単な説明】
【図１】本発明に係る遊技盤の開閉着脱機構を備える遊技機の一例として示すパチンコ機の正面図である。
【図２】上記パチンコ機の裏面側を示す背面図である。
【図３】上記パチンコ機における裏セット盤を取り外した状態の前枠の背面図である。
【図４】前枠開放保持機構および裏セット盤開放保持機構の作用を示す平面図である。
【図５】前枠開放保持機構の構成を示す背面図である。
【図６】本発明に係る着脱補助機構における第１実施例の上部開閉機構の構成を示す分解斜視図である。
【図７】本発明に係る着脱補助機構における下部開閉機構の構成を示す分解斜視図である。
【図８】嵌合接続前の状態にある第１実施例の上部開閉機構の背面図である。
【図９】嵌合接続状態にある第１実施例の上部開閉機構の平断面図である。
【図１０】嵌合接続状態にある下部開閉機構の背面図である。
【図１１】本発明に係る着脱補助機構における下部開閉機構と第１実施例の仮支持機構との関係を示す平断面図（部分断面図）である。
【図１２】第１実施例の仮支持機構およびその取付部周辺構造を示す分解斜視図である。
【図１３】図１２中の矢印XIII方向に見た第１実施例の仮支持機構の側面図である。
【図１４】図１２中の矢印XIV方向に見た第１実施例の仮支持機構の背面図である。
【図１５】遊技盤を収容枠に閉鎖した状態を示す第１実施例の仮支持機構の平面図である。
【図１６】図６に対応して第２実施例の上部開閉機構の構成を示す分解斜視図である。
【図１７】図１４に対応して第２実施例の仮支持機構を示す背面図である。
【図１８】図１３に対応して第２実施例の仮支持機構を示す側面図である。
【符号の説明】
Ｂ１  メイン基板
Ｂ２  発射装置制御基板
Ｂ３  球払出制御基板
Ｂ４  ランプ・音声制御基板
Ｂ５  電源基板
ＰＡ  遊技領域
ＰＭ  パチンコ機
ＳＢ  遊技島
１  外枠
２  前枠
３ａ，３ｂ  ヒンジ機構
４  施錠装置
５  ガラス扉
６  上球皿
７  下球皿
８  操作ハンドル
９  打球発射装置
１１  収容枠（１１ａ，１１ａ′  受容開口）
１２  固定ヒンジ部材（１２ａ  ベース部、１２ｂ  第１支持部、
１２ｃ  第２支持部、１２ｄ  支軸孔、１２ｅ  裏セットヒンジピン）
１３  固定ヒンジ部材（１３ａ  ベース部、１３ｂ  第１支持部、
１３ｃ  第２支持部、１３ｄ  ヒンジピン、１３ｅ  裏セットヒンジピン）
１４ａ，１４ｂ，１４ｃ  閉鎖クランプ
１５  遊技補助盤
１６  機構取付部（１６ａ  取付ボス、１６ｂ  支持レール）
１７  機構取付部（１７ａ  取付ボス、１７ｂ  支持レール、
１７ｃ  位置決めピン）
２０  遊技盤
２１  化粧板
２２  揺動ヒンジ係合部（２２ｆ  被挟持部、２２ｇ  受容係合口、
２２ｓ  逃げ面）
２３  揺動ヒンジ係合部（２３ｆ  被挟持部、２３ｓ  ネジ受容溝）
２４  案内レール（２４ａ  外レール、２４ｂ  内レール）
２５ａ，２５ｂ  風車
２６  入賞具（２６ａ  一般入賞具、２６ｂ  始動入賞具、
２６ｃ  アタッカー）
２７  アウト口
２８  図柄表示装置
３０  裏セット盤
３１  基枠体（３１ｗ  窓口）
３２，３３  裏セット盤揺動ヒンジ部材
３４  閉鎖レバー
３５  タンク部材
３６  整列樋部材
３７  賞球待機通路
３８  球払出装置
３９  賞球払出経路
４０  開閉着脱機構
４０Ａ  上部開閉機構（第１実施例）
４０Ｂ  下部開閉機構
４０Ｃ  上部開閉機構（第２実施例）
４２  揺動ヒンジ部材（４２ｂ  アーム部、４２ｄ  ヒンジ係合孔、
４２ｆ  挟持係合部、  ４２ｇ  弾性係合片、４２ｓ  角度規定部）
４３  揺動ヒンジ部材（４３ｂ  アーム部、４３ｄ  ヒンジ係合孔、
４３ｆ  挟持係合部、  ４３ｇ  側端係合片、４３ｈ  下面支持部、
４３ｉ  裏面支持部、  ４３ｊ  支持孔部、４３ｋ  収容部、
４３ｓ  角度規定部）
４４ａ  ボルト
４４ｂ  ナット
４４ｃ  ワッシャ
４４ｄ  ワッシャ
４５  係合ネジ
５０  仮支持機構（第１実施例）
５１  ベース部材（５１ａ  ベース部、５１ｂ  軸支持部、
５１ｈ  取付孔、５１ｓ  ガイド溝）
５２  支軸（５２ｓ  雌ネジ部）
５３  遊技盤仮受け部材（５３ａ  支持面部、５３ｂ  逃げ部、
５３ｃ  リブ、５３ｄ  雄ネジ部）
５５  サムスクリュー
５８  ネジ
６０  仮支持機構（第２実施例）
６１  ベース部材（６１ａ  ベース部、６１ｂ  軸支持部、
６１ｃ  位置決め孔、６１ｓ  雌ネジ部）
６３  遊技盤仮受け部材（６３ａ  支軸部、６３ｂ  アーム部、
６３ｃ  支持部材、６３ｄ  挟持部材、６３ｅ  支持板）
６５  ボルト
１５０  前枠開放保持機構
１５１  前枠開放保持部材（１５１ａ  揺動端部、１５１ｂ  係合端部）
１５２ａ，１５２ｂ  ワッシャ
１５３ａ，１５３ｂ  ナット
１５５  係合部材（１５５ａ，１５５ｂ  係合部）
１５８  掛支部材
１６０  裏セット盤開放保持機構
１６１  裏セット盤開放保持部材（１６１ａ  基端部、１６１ｂ  係止部）
【図１】
0004332320.tif 000002
【図２】
0004332320.tif 000003
【図３】
0004332320.tif 000004
【図４】
0004332320.tif 000005
【図５】
0004332320.tif 000006
【図６】
0004332320.tif 000007
【図７】
0004332320.tif 000008
【図８】
0004332320.tif 000009
【図９】
0004332320.tif 000010
【図１０】
0004332320.tif 000011
【図１１】
0004332320.tif 000012
【図１２】
0004332320.tif 000013
【図１３】
0004332320.tif 000014
【図１４】
0004332320.tif 000015
【図１５】
0004332320.tif 000016
【図１６】
0004332320.tif 000017
【図１７】
0004332320.tif 000018
【図１８】
0004332320.tif 000019